【手続補正書】
【提出日】平成18年7月31日(2006.7.31)
【手続補正１】
【補正対象書類名】特許請求の範囲
【補正対象項目名】請求項５
【補正方法】変更
【補正の内容】
【請求項５】
組み合わせの選択は、
ａ）０から１までの数ｐをランダムに選択するステップと、
ｂ）第１のブランチの分割から生じる二つのいわゆる子ブランチに割り当てられた確率値の和を演算し、各子ブランチに対して、この子ブランチに割り当てられる確率値と演算された和との比に等しい新たな確率値を演算するステップと、
ｃ）第１の間隔は第１の子ブランチに関連付けられており、第２の間隔は第２の子ブランチに関連付けられており、第１の間隔は０から第１の子ブランチの確率値までにわたり、第２の間隔は前記確率値から１までにわたる、０と１との間の二つの近接した確率間隔を定義するステップと、
ｄ）数ｐが求められるべき間隔を特定し、この間隔に関連付けられている子ブランチを選択するステップと、
選択された子ブランチが他のブランチに分岐する場合、ステップａ）における再帰的方法を再開して第１のブランチを選択された子ブランチと置換するステップと、そうでなければ
ｅ）選択された子ブランチの組み合わせの一つを選択するステップと
を含む再帰的な方法の実施からなることを特徴とする請求項２に記載の方法。
【手続補正２】
【補正対象書類名】明細書
【補正対象項目名】００４２
【補正方法】変更
【補正の内容】
【００４２】
本発明の方法は、以下に論ずる判断基準に従って定義される如何なるシステムにも適用可能である。システムの決定された状態に対応するｎ個の測定パラメータＸＭ1 乃至ＸＭm の値が既知である場合、システムのｎ個の特定のパラメータＸＳ1 乃至ＸＳn に与えられるべき値を決定することができる。各パラメータは有限の個数の値をとり得る。特定のパラメータの値は連続した整数をなす。測定パラメータは記号変数であり、可能な値は黄色、青、緑及び赤であり得る。システムパラメータのセットの結合確率分布のモデルは既知であり、適切であるべき全てのパラメータ（ＸＳ1 ，... ，ＸＳn ，ＸＭ1 ，... ，ＸＭm ）の任意の組み合わせに対する確率ｐ（ＸＳ1 ，... ，ＸＳn ，ＸＭ1 ，... ，ＸＭm ）が演算される。システムの確率分布モデルにより使用される解析関数及びデータベースは既知である。
【手続補正３】
【補正対象書類名】明細書
【補正対象項目名】００７９
【補正方法】変更
【補正の内容】
【００７９】
図５は図４Ａ乃至図４Ｇに関連して説明される五つのステップに従って取得される速度値の確率分布の表現の構成ツリーを示している。確率値ｐ1 のブランチＢはそれぞれの確率値ｐ4 及びｐ2 の二つのブランチＢ1 及びＢ2 へ分岐する。ブランチＢ2 はそれぞれの確率値ｐ1 及びｐ2 の二つのブランチＢ2,1 及びＢ2,2 へ分岐する。ブランチＢ1 は確率値ｐ1 の二つのブランチＢ1,1 及びＢ1,2 へ分岐する。ブランチＢ1,1 はそれぞれの確率値ｐ5 及びｐ1 の二つのブランチＢ1,1,1 及びＢ1,1,2 へ分岐する。ブランチＢ1,2 はそれぞれの確率値ｐ1 及びｐ3 の二つのブランチＢ1,2,1 及びＢ1,2,2 へ分岐する。速度値のセットの最終分割は構成ツリーの終端ブランチにより提供される。
【手続補正４】
【補正対象書類名】明細書
【補正対象項目名】００８９
【補正方法】変更
【補正の内容】
【００８９】
図６Ｂは確率ｐ2 の第２の対Ｃ2 （αh2＝７，αv2＝１）の選択後のブランチＢの可能な分岐を説明している。ブランチＢは、水平傾斜角値３°と４°との間を通過する鉛直限界１２に従って二つのブランチＢ1 及びＢ2 へ分岐する。ブランチＢ1 は正確に４（２2 ）よりも小さい水平傾斜角を有する対を集める。ブランチＢ2 は４（２2 ）よりも大きい水平傾斜角を有する対を集める。
【手続補正５】
【補正対象書類名】明細書
【補正対象項目名】００９２
【補正方法】変更
【補正の内容】
【００９２】
図６Ｄは鉛直傾斜角αv の値１°と２°との間を通過する水平限界１３に従ったブランチＢ1 の分岐を説明している。ブランチＢ1,1 は２以上の鉛直傾斜角値を有する対を集める。ブランチＢ1,2 は正確に２よりも小さい鉛直傾斜値を有する対を集める。ブランチＢ1,2 は第２の対Ｃ2'の確率値ｐ2 をとり、ブランチＢ1,1 は確率値ｐ1 をとる。
【手続補正６】
【補正対象書類名】明細書
【補正対象項目名】０１３２
【補正方法】変更
【補正の内容】
【０１３２】
構成要素Ｄの出力電流ＫＤは電流Ｋの０％、３０％、４０％、６０％、７０％（ＫＢＣはそれぞれ電流Ｋの０％、３０％、４０％、６０％及び７０％に等しく、構成要素Ｄ1 乃至Ｄ8 の内の少なくとも六つが動作）、９０％（ＫＢＣが電流Ｋの１００％に等しく、構成要素Ｄ1 乃至Ｄ8 の内の六つが動作）、又は１００％（ＫＢＣが電流Ｋの１００％に等しく、構成要素Ｄ1 乃至Ｄ8 の内の少なくとも七つが動作）に等しくなる。
【手続補正７】
【補正対象書類名】明細書
【補正対象項目名】０１３３
【補正方法】変更
【補正の内容】
【０１３３】
各構成要素Ａ、Ｂ、Ｃ1 、Ｃ2 及びＤ1 乃至Ｄ8 は、構成要素に欠陥がある場合に値０を、構成要素が動作している場合に値１をとり得る装置のパラメータであると考えられる。また、出力電流ＫＡ、ＫＢ、ＫＣ、ＫＢＣ及びＫＤは多かれ少なかれなんらかの値をとり得る装置のパラメータであると考えられる。従って、ＫＡ及びＫＢは、電流がそれぞれ電流Ｋの０％であるか又は１００％であるかによって値０又は１をとり得る。ＫＣは、電流がそれぞれ電流Ｋの０％であるか、３０％であるか、又は６０％であるかによって値０、１又は２をとり得る。ＫＢＣは、電流がそれぞれ電流Ｋの０％に達するか、３０％に達するか、４０％に達するか、６０％に達するか、７０％に達するか又は１００％に達するかによって値０、１、２、３、４又は５をとり得る。ＫＤは、電流がそれぞれ電流Ｋの０％であるか、３０％であるか、４０％であるか、６０％であるか、７０％であるか、９０％であるか又は１００％であるかによって値０乃至７をとり得る。
【手続補正８】
【補正対象書類名】明細書
【補正対象項目名】０１３５
【補正方法】変更
【補正の内容】
【０１３５】
ｐ（Ａ，Ｂ，Ｃ1 ，Ｃ2 ，Ｄ1 ，... ，Ｄ8 ，ＫＡ，ＫＢ，ＫＣ，ＫＢＣ，ＫＤ）＝
ｐ（Ａ）ｐ（Ｂ）ｐ（Ｃ1 ）ｐ（Ｃ2 ）ｐ（Ｄ1 ）ｐ（Ｄ2 ）ｐ（Ｄ3 ）ｐ（Ｄ4 ）    ｐ（Ｄ5 ）ｐ（Ｄ6 ）ｐ（Ｄ7 ）ｐ（Ｄ8 ）ｐ（ＫＡ）ｐ（ＫＢ）ｐ（ＫＣ）
ｐ（ＫＢＣ）ｐ（ＫＤ）ｐ（ＫＡ／Ａ）ｐ（ＫＢ／Ｂ, ＫＡ）ｐ（ＫＣ／Ｃ, ＫＡ）    ｐ（ＫＢＣ／ＫＢ, ＫＣ）ｐ（ＫＤ／ＫＢＣ, Ｄ）  …（５）
【手続補正９】
【補正対象書類名】明細書
【補正対象項目名】０１３９
【補正方法】変更
【補正の内容】
【０１３９】
行なわれた診断に従って、パラメータＡ、Ｂ、Ｃ1 、Ｃ2 、Ｄ1 乃至Ｄ8 、ＫＡ、ＫＢ、ＫＣ、ＫＢＣ及びＫＤは、その値が決定されることが望まれる特定のパラメータであるのか、又は電流又は動作状態が測定されるので測定パラメータであるのか、又はそれらの値が決定されることが望まれず且つそれらの値が測定されていないので非保留パラメータであるのかのいずれかであり得る。
【手続補正１０】
【補正対象書類名】明細書
【補正対象項目名】０１４０
【補正方法】変更
【補正の内容】
【０１４０】
診断１において、測定パラメータは一又はいくつかの電流、たとえばＫＢＣであり、特定のパラメータは一又はいくつかの構成要素、この例では電流ＫＢＣの上流に位置する構成要素Ａ、Ｂ、Ｃ1 及びＣ2 である。電流ＫＢＣの値のサンプリングの後、パラメータＡ、Ｂ、Ｃ1 及びＣ2 の値の組み合わせの確率分布の表現は測定パラメータＫＢＣの値が既知である場合、本発明の方法に従って構成される。ＫＢＣの値が既知である場合、装置の状態を表すための組み合わせ（Ａ，Ｂ，Ｃ1 ，Ｃ2 ）に対する確率ｐ（Ａ，Ｂ，Ｃ1 ，Ｃ2 ／ＫＢＣ）は上述のようにこの推論において保留されない全てのパラメータ値（Ｄ1 乃至Ｄ8 、ＫＡ、ＫＢ、ＫＣ、ＫＤ）に対する全ての確率ｐ（Ａ，Ｂ，Ｃ1 ，Ｃ2 ，Ｄ1 ，... ，Ｄ8 ，ＫＡ，ＫＢ，ＫＣ，ＫＢＣ，ＫＤ）を合計することにより演算され得る。最初に望まれるのは、最大確率を示す第１の組み合わせを特定して第１の修復を行なうことである。もしこの修復が不十分又は根拠の無いものであるように思われる場合には、第１の組み合わせの後に最大確率を示す第２の組み合わせを特定する等を行なう。
【手続補正１１】
【補正対象書類名】明細書
【補正対象項目名】０１４５
【補正方法】変更
【補正の内容】
【０１４５】
ｐ（CHIFFRE ，Ｐｉｘ［１］，... ，Ｐｉｘ［６４］）＝
ｐ（CHIFFRE)＊ｐ（Ｐｉｘ［１］／CHIFFRE)＊... ＊ｐ（Ｐｉｘ［６４］／CHIFFRE)      …（６）
【手続補正１２】
【補正対象書類名】明細書
【補正対象項目名】０１４８
【補正方法】変更
【補正の内容】
【０１４８】
図形の認識は各画素のグレイレベルの測定の第１のフェーズを有する。第２のフェーズにおいて、各画素のグレイレベルが既知であるとして、図形の確率分布の表現が式（６）及び本発明の方法に基づいて構成される。図形の選択は最大確率を示す図形を特定することからなる。